(57)【要約】【課題】撮影距離が∞の場合のズーム比が１．８７倍以上、広角端における画角が６７°以上で、解像度が高く光学全長が短く像ぶれを補正できるズームレンズ系を提供する。【解決手段】負パワーの第１レンズ群と、絞りが内部に固定された正パワーの第２レンズ群とからなるズームレンズである。第１レンズ群は、負レンズの第１レンズＬ１と、正レンズの第２レンズＬ２とからなる。第２レンズＬ２のいずれかの面は、中心から離れるにしたがって局所曲率半径が単調増加減する非球面である。第２レンズ群は、正レンズの第３レンズ、第４レンズ、負レンズの第５レンズ及び正レンズの第６レンズからなる。第６レンズの物体側及び像側の面は中心から離れるにしたがって局所曲率半径が単調増加減する非球面である。撮影距離が∞の場合の広角端から望遠端へのズーミングに際して、第１レンズ群は像面側に凸の軌跡を描き、第２レンズ群Ｇ２は単調に物体側に移動する。【選択図】図１
2011203418.tif 000002
【特許請求の範囲】
【請求項１】
物体側から像面側に向かって順に配置された、負パワーの第１レンズ群と、内部に絞りが固定された正パワーの第２レンズ群とからなるズームレンズであって、前記第１レンズ群は、物体側から順に配置された、負レンズの第１レンズと、正レンズの第２レンズとからなり、前記第２レンズのいずれかの面は、中心から離れるにしたがって局所曲率半径が単調増加減する非球面であり、撮影距離が∞の場合の広角端から望遠端へのズーミングに際して、前記第１レンズ群は像面側に凸の軌跡を描き、前記第２レンズ群は単調に物体側に移動し、最終レンズがプラスティック非球面レンズであり以下の条件式（１）及び条件式（２）を満足するズームレンズ：
１．４７＜ＢＦｗ／Ｆｗ＜１．７５  ‥‥‥（１）
４．５８＜Ｔｗ／Ｆｗ＜５．５４    ‥‥‥（２）
ただし、
ＢＦｗ：広角端におけるバックフォーカス（最も像側に配置されるレンズと像面との間の光軸に沿った距離）、
Ｆｗ：広角端における全系の焦点距離、
Ｔｗ：撮影距離が∞で広角端におけるレンズ系全体の合成焦点距離をｆＷ、広角端におけるレンズ第一面から近軸決像面までの距離
である。
【請求項２】
撮影距離が∞で広角端において、
０．９１＜Ｌ１＿ＥＡ／Ｙ’＜１．００
の条件式を満足する、請求項１に記載のズームレンズ：
ただし、
Ｌ１＿ＥＡ：Ｌ１Ｒ１面の有効半径
Ｙ’：結像面Ｓ上の最大像高
である。
【請求項３】
撮影距離が∞で広角端において、
−０．１０＜（Ｙ’−Ｙ）／Ｙ’＜−０．２０
の条件式を満足する、請求項１に記載のズームレンズ：
ただし、
Ｙ’：結像面Ｓ上の最大像高
Ｙ：物体面上の最大像高
である。
【請求項４】
前記第１レンズ群、及び第２レンズ群の構成は少なくとも１枚のプラスティック材料を用いたレンズを備えた、請求項１に記載のズームレンズ。
【請求項５】
前記第２レンズ群は、正レンズの第３レンズを備え、第３レンズは、像ぶれ補正の為に光軸に垂直な方向に移動することも可能である、請求項１に記載のズームレンズ。
【請求項６】
前記第２レンズ群の構成は以下の条件式を満足する、請求項１に記載のズームレンズ：
１３．０＜２Ｇ＿ｔ＜１６．８
ただし、
２Ｇ＿ｔ：第２レンズ群の光軸上の厚み
である。
【発明の詳細な説明】
【技術分野】
【０００１】
本発明は、ズームレンズに関し、詳しくは、いわゆるデジタル一眼レフレックスカメラシステムの交換レンズ装置に用いられる撮像光学系として好適な、ズームレンズに関する。
【背景技術】
【０００２】
ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像素子を持つカメラ本体と、撮像素子の受光面に光学像を形成するための撮像光学系を備えた交換レンズ装置とを備え、撮像レンズ系をカメラ本体から着脱可能にしたいわゆるデジタル一眼レフレックスカメラシステム（以下、単にＤ−ＳＬＲという）の市場が急速に拡大している。
【０００３】
例えば、Ｄ−ＳＬＲに適用可能なズームレンズとして、特許文献１乃至５に記載のズームレンズが提案されている。
【先行技術文献】
【特許文献】
【０００４】
【特許文献１】特開２００５−３５２０５７号公報
【特許文献２】特開２００５−１０７２８０号公報
【特許文献３】特開２００４−２５８５０９号公報
【特許文献４】特開２００４−２２６６４４号公報
【特許文献５】特開２００４−２１２６１１号公報
【発明の概要】
【発明が解決しようとする課題】
【０００５】
上記特許文献に記載されている様に各ズームレンズはレンズ枚数が多く、全てガラスレンズであり、その為に材料コスト、加工コストが高価であり、さらなる改善の余地があった。
【０００６】
本発明は、上記課題に鑑み、プラスティック非球面レンズを２枚以上含み低コスト化を実現しながら全長が短く高解像度で、変倍比が１．８７倍以上であるコンパクトなズームレンズを提供することを目的とする。
【課題を解決するための手段】
【０００７】
上記目的を達成するために本発明は、物体側から像面側に向かって順に配置された、負パワーの第１レンズ群と、内部に絞りが固定された正パワーの第２レンズ群とからなるズームレンズであって、前記第１レンズ群は、物体側から順に配置された、負レンズの第１レンズと、正レンズの第２レンズとからなり、前記第２レンズのいずれかの面は、中心から離れるにしたがって局所曲率半径が単調増加減する非球面であり、撮影距離が∞の場合の広角端から望遠端へのズーミングに際して、前記第１レンズ群は像面側に凸の軌跡を描き、前記第２レンズ群は単調に物体側に移動し、最終レンズがプラスティック非球面レンズであり以下の条件式（１）及び条件式（２）を満足する。
１．４７＜ＢＦｗ／Ｆｗ＜１．７５‥‥‥（１）
４．５８＜Ｔｗ／Ｆｗ＜５．５４  ‥‥‥（２）
ただし、
ＢＦｗ：広角端におけるバックフォーカス（最も像側に配置されるレンズと像面との間の光軸に沿った距離）、
Ｆｗ：広角端における全系の焦点距離、
Ｔｗ：撮影距離が∞で広角端におけるレンズ系全体の合成焦点距離をＦｗ、広角端におけるレンズ第一面から近軸決像面までの距離
とする。
【発明の効果】
【０００８】
本発明は、以上の構成を備えているので、低コストを実現しながら全長が短く高解像度で変倍比が１．８７倍以上であり、防振機能を備えたズームレンズを提供することができる。
【図面の簡単な説明】
【０００９】
【図１】実施の形態１（実施例１）に係るズームレンズ系の無限遠物点のレンズ構成図
【図２】実施例１のズームレンズ系の無限遠物点における縦収差図
【図３】実施の形態２（実施例２）に係るズームレンズ系の無限遠物点のレンズ構成図
【図４】実施例２のズームレンズ系の無限遠物点における縦収差図
【図５】実施の形態３（実施例３）に係るズームレンズ系の無限遠物点のレンズ構成図
【図６】実施例３のズームレンズ系の無限遠物点における縦収差図
【図７】実施の形態４（実施例４）に係るズームレンズ系の無限遠物点のレンズ構成図
【図８】実施例４のズームレンズ系の無限遠物点における縦収差図
【発明を実施するための形態】
【００１０】
図１、３、５、７はいずれも無限遠合焦状態にあるズームレンズ系を表している。
【００１１】
各図において、（ａ）図は広角端（最短焦点距離状態：焦点距離ｆＷ）のレンズ構成、（ｂ）図は、中間位置のレンズ構成、（ｃ）図は望遠端（最長焦点距離状態：焦点距離ｆＴ）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。更に各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１２】
また各図において、各レンズ群の符号に付された記号（＋）及び記号（−）は、各レンズ群のパワーの符号に対応する。更に各図において、最も右側に記載された直線は、像面Ｓの位置を表す。また図中のアスタリスク（＊）は非球面である事を示す。
【００１３】
以下、実施の形態１〜４に係るズームレンズ系を具体的に実施した数値実施例を説明する。後述するように、数値実施例１〜４は、それぞれ実施の形態１〜４に対応する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【００１４】
【数１】
2011203418.tif 000003
【００１５】
ここで、κは円錐定数、Ａ４、Ａ６、Ａ８、Ａ１０及びＡ１２は、それぞれ４次、６次、８次、１０次及び１２次の非球面係数である。
【００１６】
図２、４、６、８は、それぞれ数値実施例１、２、３、４に係るズームレンズ系の無限遠合焦状態の縦収差図である。
【００１７】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００１８】
各数値実施例において、縦収差図から明らかなように、各ズームレンズ系は、良好な収差性能を達成している。
【００１９】
（実施の形態１〜４）
図１は、実施の形態１に係るズームレンズ系の無限遠物点の広角端におけるレンズ構成図である。図３は、実施の形態２に係るズームレンズ系の無限遠物点の広角端におけるレンズ構成図である。図５は、実施の形態３に係るズームレンズ系の無限遠物点の広角端におけるレンズ構成図である。図７は、実施の形態４に係るズームレンズ系の無限遠物点の広角端におけるレンズ構成図である。
【００２０】
各図において、各実施の形態に係るズームレンズ系は、光軸に沿って、物体側から像側（像平面Ｓ側）に向けて順に、負のパワーを有する第１レンズ群Ｇ１と、正のパワーを有する第２レンズ群Ｇ２を備える。
【００２１】
各図において、図中記された実線の片矢印は、広角端（ＷＩＤＥ）から望遠端（ＴＥＬＥ）への変倍の際の各レンズ群の移動軌跡を示す。各実施の形態に係るズームレンズ系において、広角端（ＷＩＤＥ）から望遠端（ＴＥＬＥ）への変倍の際に、第１レンズ群Ｇ１、第２レンズ群Ｇ２は、実線で示された軌跡に沿って光軸に平行な方向に移動する。
【００２２】
図１、図３、図５、図７において、第２レンズ群におけるＬ３レンズは、像ぶれ補正のために、光軸に垂直な方向に移動する。
【００２３】
また、各実施の形態に係るズームレンズ系は、第２レンズ群内のＬ３とＬ４の間に絞りＡを有している。
【００２４】
各実施の形態のズームレンズ系において、第１レンズ群Ｇ１は、物体側から順に、負レンズ形状のレンズ素子Ｌ１と正レンズ形状のレンズ素子Ｌ２とからなる。
【００２５】
第２レンズ群は、物体側から順に、正レンズ形状であるレンズ素子Ｌ３とＬ４、負のパワーを有するレンズ素子Ｌ５と、正のパワーを有するレンズ素子Ｌ６とからなる。
【００２６】
以下、各実施の形態に係るズームレンズ系が満足すべき条件を説明する。なお、各実施の形態に係るズームレンズ系において、複数の満足すべき条件が規定されるが、各条件すべてを満足するズームレンズ系の構成が最も望ましい。しかしながら、個別の条件を満足することにより、それぞれ対応する効果を奏するズームレンズ系を得ることも可能である。
【００２７】
ズームレンズ系は、以下の式（１）及び（２）を満足することが望ましい。
１．４７＜ＢＦｗ／Ｆｗ＜１．７５‥‥‥（１）
４．５８＜Ｔｗ／Ｆｗ＜５．５４  ‥‥‥（２）
ただし、
ＢＦｗ：広角端におけるバックフォーカス（最も像側に配置されるレンズと像面との間の光軸に沿った距離）、
Ｆｗ：広角端における全系の焦点距離、
Ｔｗ：撮影距離が∞で広角端におけるレンズ系全体の合成焦点距離をＦｗ、広角端におけるレンズ第一面から近軸決像面までの距離
とする。
【００２８】
式（１）は、バックフォーカスを適正に確保するための条件である。式（１）の下限を下回ると、バックフォーカスが短すぎるため、Ｄ−ＳＬＲにおいてズームレンズ系とカメラ本体とが干渉しシステムが成立しない。式（１）の上限を超えるとバックフォーカスが長すぎるため、ズームレンズ系の収差を小さくすることが困難になり望ましくない。
【００２９】
式（２）は、光学系の第一レンズの物体側の面から決像面との間の間隔を適正に規定する式である。式（２）の上限を超えると、収差補正は良好になるが、全系が大きくなりすぎ好ましくない。式（２）の下限を超えると、特に広角端での歪曲収差が大きくなりすぎ好ましくない。
【００３０】
撮影距離が∞で広角端において、
０．９１＜Ｌ１＿ＥＡ／Ｙ’＜１．００‥‥‥（３）
の条件式を満足する、請求項１に記載のズームレンズ。
【００３１】
ここで、
Ｌ１＿ＥＡ：Ｌ１Ｒ１面の有効半径
Ｙ’：結像面Ｓ上の最大像高
である。
【００３２】
式（３）は光学系の外径サイズを規定する式である。式（３）の下限を下回ると光学系はより小さくなるが収差補正が困難になる。式（３）の上限を超えると収差補正は良好になるが光学系が大きくなる。
【００３３】
第１レンズ群、及び第２レンズ群の構成は少なくとも１枚のプラスティック材料を用いたレンズを含む。
【００３４】
よって本光学系はプラスティック材料を第１レンズ群及び第２レンズ群に用いることで軽量化を図ることが出来る。
【００３５】
第２レンズ群は、正レンズの第３レンズを備え、第３レンズは、像ぶれ補正の為に光軸に垂直な方向に移動することも可能である。
【００３６】
第２レンズ群の構成は以下の条件式を満足する。
１３．０＜２Ｇ＿ｔ＜１６．８‥‥‥（４）
ただし、２Ｇ＿ｔ：第２レンズ群の光軸上の厚み
とする。
【００３７】
式（４）の下限を下回ると像面湾曲の補正が困難となり、式（４）の上限を上回ると収差補正には有利であるが光学系が大きくなる。
【００３８】
（実施例１）
実施例１のズームレンズ系は、図１に示した実施の形態１に対応する。実施例１のズームレンズ系のレンズデータを表１に、非球面データを表２に、可変面間隔データを表３に示す。
【００３９】
（表１）
数値実施例１
単位   mm
面データ
面番号         r           d           nd         vd     有効径
物面             ∞
1       -581.69250     1.20000     1.51680    64.2     9.882 
2         10.19890     7.98910                         7.934 
3*        83.84460     2.15060     1.58387    30.9     7.799 
4       -190.47950        可変                         7.694
5      -1203.74780     1.53770     1.64769    33.8     4.883 
6        -34.34820     1.95000                         4.940 
7(絞り)           ∞     0.90000                         4.730
8         12.32040     5.00000     1.48749    70.4     4.771 
9        -50.68460     1.00000     1.84666    23.8     4.312 
10         41.23580     9.22000                         4.207 
11*        28.14300     1.50000     1.54360    56.0     5.282 
12*        57.25820      BF                             5.439 
像面             ∞
（表２）
非球面データ
第3面
K= 0.00000E+00, A4= 5.26378E-05, A6= 1.63225E-08, A8= 3.48721E-09
A10= 9.90053E-13 
第11面
K= 0.00000E+00, A4=-5.06466E-05, A6=-2.47696E-06, A8=-3.67428E-08
A10=-1.57837E-10 
第12面
K= 0.00000E+00, A4= 4.65665E-05, A6=-2.48349E-06, A8=-3.08743E-08
A10= 0.00000E+00 
（表３）
各種データ
ズーム比     1.86600
広角      中間      望遠
焦点距離      17.3000   23.6323   32.2818
Ｆナンバー     4.19454   5.09135   5.64742
画角        35.6660   25.9474   19.0957
像高        11.0300   11.0300   11.0300
レンズ全長     79.2288   74.7350   75.2322
ＢＦ       25.38741  31.34041  39.48485
d4          21.3940   10.9472    3.3000 
（実施例２）
実施例２のズームレンズ系は、図３に示した実施の形態２に対応する。実施例２のズームレンズ系のレンズデータを表４に、非球面データを表５に、可変面間隔データを表６に示す。
【００４０】
（表４）
数値実施例２
単位   mm
面データ
面番号         r           d           nd         vd     有効径
物面             ∞
1       -197.29620     1.20000     1.51680    64.2    10.171 
2         10.36680     8.32080                         8.103 
3*       143.26240     2.18770     1.58387    30.9     7.981 
4        -97.99750        可変                         7.851
5       -420.24420     1.52210     1.64769    33.8     4.744 
6        -32.61320     1.95000                         4.803 
7(絞り)           ∞     0.90000                         4.590
8         12.23930     5.00000     1.48749    70.4     4.627 
9        -45.94690     1.00000     1.84666    23.8     4.174 
10         43.57770     9.01140                         4.073 
11*        42.78410     1.50000     1.54360    56.0     5.166 
12*       198.43270      BF                             5.351 
像面             ∞
（表５）
非球面データ
第3面
K= 0.00000E+00, A4= 5.12335E-05, A6=-3.50964E-08, A8= 4.02281E-09
A10=-4.86933E-12 
第11面
K= 0.00000E+00, A4=-7.82871E-05, A6=-1.64638E-06, A8=-5.28740E-08
A10= 4.99806E-11 
第12面
K= 0.00000E+00, A4= 1.97516E-05, A6=-1.82902E-06, A8=-3.14560E-08
A10= 0.00000E+00 
（表６）
各種データ
ズーム比     1.86592
広角      中間      望遠
焦点距離      16.2999   22.2654   30.4143
Ｆナンバー     4.19656   5.07221   5.60077
画角        38.2405   27.6090   20.2717
像高        11.0300   11.0300   11.0300
レンズ全長     79.2247   74.0097   73.7734
ＢＦ       24.54557  30.17709  37.88142
d4          22.0871   11.2406    3.3000
（実施例３）
実施例３のズームレンズ系は、図５に示した実施の形態３に対応する。実施例３のズームレンズ系のレンズデータを表７に、非球面データを表８に、可変面間隔データを表９に示す。
【００４１】
（表７）
数値実施例３
単位   mm
面データ
面番号         r           d           nd         vd     有効径
物面             ∞
1        -93.91450     1.20000     1.51680    64.2    10.380 
2         10.76040     8.76270                         8.266 
3*       877.09090     2.32590     1.58387    30.9     8.128 
4        -62.48980        可変                         8.014
5       -311.06410     1.50180     1.64769    33.8     4.627 
6        -31.74850     1.95000                         4.685 
7(絞り)           ∞     0.90000                         4.470
8         11.76410     5.00000     1.48749    70.4     4.501 
9        -46.43730     1.00000     1.84666    23.8     4.033 
10         40.06970     7.71170                         3.929 
11*      1422.36980     1.50000     1.54360    56.0     4.794 
12*       -56.49730      BF                             5.017 
像面             ∞
（表８）
非球面データ
第3面
K= 0.00000E+00, A4= 4.70324E-05, A6=-7.22707E-08, A8= 4.05364E-09
A10=-9.22221E-12 
第11面
K= 0.00000E+00, A4=-1.14350E-04, A6=-3.48920E-07, A8=-7.71326E-08
A10= 5.35156E-10 
第12面
K= 0.00000E+00, A4=-3.18237E-06, A6=-7.82208E-07, A8=-2.55251E-08
A10= 0.00000E+00 
（表９）
各種データ
ズーム比     1.86599
広角      中間      望遠
焦点距離      15.3000   20.8999   28.5496
Ｆナンバー     4.19176   5.04887   5.55442
画角        41.7850   29.6641   21.6579
像高        11.0300   11.0300   11.0300
レンズ全長     79.2221   73.2427   72.2322
ＢＦ       24.54243  29.83713  37.08012
d4          22.8276   11.5535    3.3000 
（実施例４）
実施例４のズームレンズ系は、図７に示した実施の形態４に対応する。実施例４のズームレンズ系のレンズデータを表１０に、非球面データを表１１に、可変面間隔データを表１２に示す。
【００４２】
（表１０）
数値実施例４
単位   mm
面データ
面番号         r           d           nd         vd     有効径
物面             ∞
1        -56.97240     1.20000     1.51680    64.2    10.733 
2         11.70080     9.03930                         8.626 
3*      -712.44480     2.50000     1.58387    30.9     8.461 
4        -54.03430        可変                         8.356
5       -373.15290     1.48440     1.64769    33.8     4.438 
6        -31.56170     1.95000                         4.490 
7(絞り)           ∞     0.90000                         4.270
8         11.64780     5.00000     1.48749    70.4     4.241 
9        -41.75150     1.00000     1.84666    23.8     3.693 
10         41.22890     5.51740                         3.586 
11*       -27.21910     1.50000     1.54360    56.0     4.302 
12*       -18.48940      BF                             4.547 
像面             ∞
（表１１）
非球面データ
第3面
K= 0.00000E+00, A4= 3.84492E-05, A6=-8.16626E-08, A8= 3.14980E-09
A10=-8.77028E-12 
第11面
K= 0.00000E+00, A4=-2.44837E-05, A6= 4.51944E-06, A8=-9.03866E-08
A10= 1.44541E-09 
第12面
K= 0.00000E+00, A4= 9.61884E-05, A6= 3.31275E-06, A8= 8.66535E-10
A10= 0.00000E+00 
（表１２）
各種データ
ズーム比     1.86600
広角      中間      望遠
焦点距離      14.3001   16.7114   26.6841
Ｆナンバー     4.19280   4.70879   5.81107
画角        47.3720   38.5565   23.2701
像高        11.0300   11.0300   11.0300
レンズ全長     79.2195   74.9540   69.7552
ＢＦ       24.99871  27.20923  36.36408
d4          24.1297   17.6537    3.3000 
【産業上の利用可能性】
【００４３】
本発明に係るズームレンズ系は、デジタルスチルカメラ、デジタルビデオカメラ、携帯電話機器、ＰＤＡ（Ｐｅｒｓｏｎａｌ  Ｄｉｇｉｔａｌ  Ａｓｓｉｓｔａｎｔ）、監視システムにおける監視カメラ、Ｗｅｂカメラ、車載カメラ等のデジタル入力装置に適用可能であり、特にデジタルスチルカメラ、デジタルビデオカメラ等の高画質が要求される撮影光学系に好適である。
【符号の説明】
【００４４】
Ｓ  像平面
Ａ  絞り
Ｇ１  第１レンズ群
Ｇ２  第２レンズ群
【図１】
2011203418.tif 000004
【図２】
2011203418.tif 000005
【図３】
2011203418.tif 000006
【図４】
2011203418.tif 000007
【図５】
2011203418.tif 000008
【図６】
2011203418.tif 000009
【図７】
2011203418.tif 000010
【図８】
2011203418.tif 000011